(57)【要約】【課題】壁等の取付面に対する取付作業を容易に行うことができるとともに、取付状態を安定して保持することができる係止具を提供する。【解決手段】ガスバリア性を有する合成樹脂シート１２の裏面に粘着剤皮膜１３を接着する。合成樹脂シート１２の表面に取付基板１４を溶融接合部１５によって接合する。前記取付基板１４の前面にフック部１６を一体に形成する。前記合成樹脂シート１２の粘着剤皮膜１３を取付面に接着する。前記合成樹脂シート１２の表面から該シート１２を透過してシート１２と粘着剤皮膜１３の接合界面に水が侵入することはないので、接合強度を維持できるとともに、粘着剤皮膜１３の劣化を防止でき、取付面に対する合成樹脂シート１２の接合強度を保持して、係止具１１の取付状態を安定して保持することができる。このため、防水等のシール手段の施工作業を不要にして、係止具１１の取付作業を容易に行うことができる。【選択図】      図１
2006149861.tif 000002
【特許請求の範囲】
【請求項１】
ガスバリア性を有するシートの表面に対し、他部材を係止するための係止部を連結し、前記シートの裏面に対し粘着剤皮膜又は接着剤皮膜を設けたことを特徴とする係止具。
【請求項２】
請求項１において、前記シートは柔軟性を有し、前記係止部は、前記シートの外周縁よりも内側に連結されていることを特徴とする係止具。
【請求項３】
請求項１又は２において、前記シートの材料は合成樹脂であって、ポリエチレンテレフタレート、ポリエチレンナフタレート、アクリル樹脂、ＡＢＳ樹脂、ポリプロピレン、ポリ塩化ビニル、ポリウレタン及びスチロール樹脂の中から１種類選択されたものであることを特徴とする係止具。
【請求項４】
請求項３において、前記係止部の材料は、前記シートの選択された１種類の合成樹脂材料と同じ材料であることを特徴とする係止具。
【請求項５】
請求項１〜４のいずれか１項において、前記粘着剤皮膜の材料は、水性エマルション型粘着剤、アクリル系粘着剤及び熱硬化型ゴム系粘着剤の中から１種類選択されたものであることを特徴とする係止具。
【請求項６】
請求項１〜５のいずれか１項において、前記シートの表面に前記係止部が溶融接合部によって連結されていることを特徴とする係止具。
【発明の詳細な説明】
【技術分野】
【０００１】
本発明は、例えば、浴室やトイレあるいはキッチン等の壁に例えば脱臭剤を収容した消臭容器、調理用具等の他部材を係止するための係止具に関するものである。
【背景技術】
【０００２】
一般に、セラミックス製の側壁の表面に、例えばキッチンタオル、バスタオルあるいは消臭容器等の他部材を装着する場合には、係止具が用いられる。この係止具は、図９に示すように、ある程度の剛性を有する樹脂製基板５１の裏面に両面テープ５２を接着し、この両面テープ５２により樹脂製基板５１を前記側壁の表面に接着するとともに、樹脂製基板５１の表面に設けられたフック部５３に前記他部材を装着するようになっている。
【０００３】
又、従来、粘着剤皮膜を形成した合成樹脂シートを、セラミックス製の側壁の表面に接着した後、該シートの表面に例えば別部材の吸盤を吸着させる構成の係止構造も提案されている。
【発明の開示】
【発明が解決しようとする課題】
【０００４】
ところが、前者の従来の係止具は、例えば、トイレの小便器の内壁面や浴室等のように水分が両面テープ５２に浸入する場所においては、ガスバリア性及び耐水性が低い両面テープ５２に水分が浸入しないように、両面テープ５２の外周縁全体を覆うための防水手段を施す必要があるので、壁面に対する係止具の取付作業が非常に面倒であるという問題があった。
【０００５】
又、前者の係止具は、樹脂製基板５１の裏面全体に両面テープ５２が装着されているので、フック部５３に作用する他部材の荷重により樹脂製基板５１の上端縁が壁面から離れようとする力を受け、取付状態を安定して保持することができないという問題があった。
【０００６】
一方、後者の他部材の係止構造は、合成樹脂シートを粘着剤皮膜により壁面に接着した後に、シートの表面に吸盤を取り付ける作業が必要となるので、現場での施工作業が面倒であるばかりでなく、合成樹脂シートの表面から吸盤が離れ易く、他部材を安定して取り付けておくことができないという問題があった。
【０００７】
本発明の目的は、取付体の取付面に対する取付作業を容易に行うことができる係止具を提供することにある。
本発明の別の目的は、上記目的に加えて、取付面が曲面の場合にも取付を適正に行うことができるとともに、取付状態を安定して保持することができる係止具を提供することにある。
【課題を解決するための手段】
【０００８】
上記問題点を解決するために、請求項１に記載の発明は、ガスバリア性を有するシートの表面に対し、他部材を係止するための係止部を連結し、前記シートの裏面に対し粘着剤皮膜又は接着剤皮膜を設けたことを要旨とする。
【０００９】
請求項２に記載の発明は、請求項１において、前記シートは柔軟性を有し、前記係止部は、前記シートの外周縁よりも内側に連結されていることを要旨とする。
請求項３に記載の発明は、請求項１又は２において、前記シートの材料は合成樹脂であって、ポリエチレンテレフタレート、ポリエチレンナフタレート、アクリル樹脂、ＡＢＳ樹脂、ポリプロピレン、ポリ塩化ビニル、ポリウレタン及びスチロール樹脂の中から１種類選択されたものであることを要旨とする。
【００１０】
請求項４に記載の発明は、請求項３において、前記係止部の材料は、前記シートの選択された１種類の合成樹脂材料と同じ材料であることを要旨とする。
請求項５に記載の発明は、請求項１〜４のいずれか１項において、前記粘着剤皮膜の材料は、水性エマルション型粘着剤、アクリル系粘着剤及び熱硬化型ゴム系粘着剤の中から１種類選択されたものであることを要旨とする。
【００１１】
請求項６に記載の発明は、請求項１〜５のいずれか１項において、前記シートの表面に前記係止部が溶融接合部によって連結されていることを要旨とする。
【発明の効果】
【００１２】
請求項１〜６に記載の発明によれば、ガスバリア性を有する合成樹脂シートの裏面に粘着剤皮膜を設けたので、取付体の取付面に合成樹脂シートが粘着剤皮膜又は接着剤皮膜を介して接着された状態において、ガスや水分が合成樹脂シートを透過して該シートと粘着剤皮膜又は接着剤皮膜との接合界面に侵入することはない。従って、前記接合界面の接合強度を維持できるとともに、粘着剤皮膜又は接着剤皮膜の劣化を防止することができ、さらに、前記取付面と粘着剤皮膜又は接着剤皮膜の接合強度も維持でき、取付状態を安定して保持することができる。このため、別途防水等のシール手段を施さなくてもよく、取付作業を容易に行うことができる。
【００１３】
請求項２に記載の発明によれば、柔軟性を有する合成樹脂シートの外周縁よりも内側に前記係止部が連結されているので、該係止部に他部材による外力が作用した場合に、前記合成樹脂シートの上端縁が前記取付面から離隔する方向への外力を受けることがなく、このため、前記取付面に対する合成樹脂シートの取付状態を安定して保持することができる。
【発明を実施するための最良の形態】
【００１４】
以下、本発明を具体化した係止具の一実施形態を図１〜図５に従って説明する。
図２に示すように、係止具１１を構成するガスバリア性を有するポリエチレンテレフタレート（ポリエステル）製の横長四角形状をなす合成樹脂シート１２の裏面には、耐水性を有する粘着剤皮膜１３が形成されている。前記柔軟性を有する合成樹脂シート１２の表面には、同じくポリエチレンテレフタレート（ポリエステル）製の取付基板１４が溶融接合部１５によって接合されている。前記取付基板１４の表面にはフック部１６が一体に形成されている。前記取付基板１４の表面には、前記フック部１６の下方に位置するように位置規制用の突起部１７が一体に形成されている。この実施形態では前記取付基板１４、フック部１６及び突起部１７によって係止部Ｋを構成している。この係止部Ｋは図２に示すように合成樹脂シート１２の外周縁よりも内側に位置するように接合されている。
【００１５】
前記溶融接合部１５は、例えば塩化メチレン等の溶剤を用いて合成樹脂シート１２と取付基板１４の接合界面を相互に溶かして接合して形成されている。又、非晶質のポリエチレンテレフタレート系樹脂用の接着剤として、溶剤ケトンにアルコールを５〜２５％含有したものを用いてもよい。ケトンとしてはメチルエチルケトンを、アルコールとしては、メタノール又はエタノールが選ばれる。上記ケトン７５〜９５重量％と、上記メチルアルコール若しくはエチルアルコール５〜２５重量％とを含有している。
【００１６】
前記粘着剤皮膜１３の表面には、剥離剤皮膜１８を形成した紙製のカバー用シート１９が接着され、粘着剤皮膜１３の表面からカバー用シート１９を剥離剤皮膜１８とともに容易に剥離できるようになっている。
【００１７】
前記合成樹脂シート１２を形成する合成樹脂材料は、ポリエチレンテレフタレート以外に、ポリエチレンナフタレート、アクリル樹脂、ＡＢＳ（アクリロニトリル／ブタジエン／スチレン）樹脂、ポリプロピレン、ポリ塩化ビニル、ポリウレタン及びスチロール樹脂の中から１種類選択されている。前記係止部Ｋは、前記合成樹脂シート１２の複数の合成樹脂材料の中から選択された１種類の材料と同じ材料（この実施形態ではポリエチレンテレフタレート）によって形成されている。
【００１８】
この実施形態では、前記粘着剤皮膜１３の粘着剤として、例えば水性エマルション型粘着剤、アクリル系粘着剤及び熱硬化型ゴム系粘着剤の中から一種類が選択されるようになっている。具体例としては、東洋インキ製造株式会社製の感圧性接着剤［商品名「オリバイン」、品番「ＹＫ−３０１２２、ＢＰＳ６０８０、４５９５、５３２０、５５１３、５３７３、５０１２、５５６５」」のうちいずれか一種類が用いられる。
【００１９】
前記合成樹脂シート１２の厚さ寸法は、例えば０．１ｍｍ〜２．０ｍｍの範囲に設定され、望ましくは０．５〜１．０ｍｍである。又、粘着剤皮膜１３の膜厚寸法は、例えば１μｍ〜５００μｍの範囲に設定され、望ましくは１０μｍ〜１００μｍである。
【００２０】
図３は上記のように構成した係止具１１を用いて、例えば取付面としての男性用のセラミックス製の小用便器の内側壁面４１（図５参照）に取り付けられる消臭容器２１を示す。この消臭容器２１を構成する合成樹脂製の本体ケース２２の裏面の左右両側部には、図４に示すように一対の縦長四角筒状部２３が一体に形成され、それらの内部には取付孔２４が上下方向に貫通するように形成されている。前記縦長四角筒状部２３の中間部には、前記係止具１１のフック部１６を係止するための係止孔２５が形成されるとともに、ピン挿入孔２６，２７が形成されている。前記本体ケース２２の底部には上方から進入した水を下方に排出するための排水口２８が形成されている。
【００２１】
図５に示すように、前記本体ケース２２の中間高さ位置には多数の通水孔２９ａを有する支持板２９が水平に支持され、この上面には脱臭剤３０が支持されている。前記本体ケース２２の上部には本体ケース２２の内部に水を取り入れるための水案内板３１が装着されている。前記本体ケース２２の取付孔２４の上部には前記水案内板３１の一対（図５に一箇所のみ図示）の脚部３１ａが嵌入され、該脚部３１ａは、前記縦長四角筒状部２３の前記ピン挿入孔２６に貫通された連結ピン３２によって縦長四角筒状部２３に連結されている。
【００２２】
前記本体ケース２２の下部には、本体ケース２２内から排水口２８を通して外部に排出される水が飛散しないように案内するための水案内板３３が装着されている。前記縦長四角筒状部２３の取付孔２４の下部には、前記水案内板３３の一対（図５に一箇所のみ図示）の脚部３３ａが嵌入され、前記ピン挿入孔２７に貫通された連結ピン３４によって、縦長四角筒状部２３に連結されている。
【００２３】
次に、前記係止具１１を用いて、消臭容器２１を小用便器の内側壁面４１に取り付けるための取付作業について説明する。
最初に、図１に示す係止具１１の粘着剤皮膜１３の表面から、剥離剤皮膜１８を備えたカバー用シート１９を剥離する。そして、図５に示すように、合成樹脂シート１２の裏面に接着された粘着剤皮膜１３を前記内側壁面４１に接着する。その後、前記係止具１１のフック部１６の先端部を消臭容器２１の縦長四角筒状部２３に形成した係止孔２５に進入させて、前記フック部１６に本体ケース２２の縦長四角筒状部２３を係止する。この状態で、前記水案内板３１の先端縁が内側壁面４１に接触され、水案内板３３の先端縁も内側壁面４１に接触される。
【００２４】
前記壁面４１が男性用の小用便器の内側壁面４１に沿って洗浄用の水が流下された場合に、水が水案内板３１の表面により案内されて本体ケース２２の内部に流入し、脱臭剤３０に水が作用して、脱臭剤３０により便器内の脱臭が行われる。前記支持板２９の通水孔２９ａを通過した水は、前記排水口２８から水案内板３３の上面に案内されて、下方に流下される。
【００２５】
上記実施形態の係止具によれば、以下のような効果を得ることができる。
（１）上記実施形態では、ガスバリア性を有する合成樹脂シート１２の裏面に粘着剤皮膜１３を接着し、この粘着剤皮膜１３により係止具１１を内側壁面４１に接着するようにした。このため、ガスや水分が合成樹脂シート１２を透過して該シート１２と粘着剤皮膜１３との接合界面に侵入することはない。従って、前記接合界面の接合強度を維持できるとともに、粘着剤皮膜１３の劣化を防止することができ、さらに、前記内側壁面４１と粘着剤皮膜１３の接合強度も維持でき、取付状態を安定して保持することができる。従って、別途防水等のシール手段を施さなくてもよく、内側壁面４１に対する合成樹脂シート１２の取付作業を容易に行うことができる。
【００２６】
（２）上記実施形態では、合成樹脂シート１２の表面に係止部Ｋを溶融接合部１５によって予め連結したので、吸盤を取り付ける従来の係止構造と比較して、内側壁面４１への係止具１１の取付作業を容易に行うことができる。
【００２７】
（３）上記実施形態では、柔軟性を有する合成樹脂シート１２を用いたので、内側壁面４１が曲面であっても、その曲面にならうようにして、合成樹脂シート１２を取り付けることができ、取付作業を容易に行うことができる。
【００２８】
（４）上記実施形態では、合成樹脂シート１２の外周縁よりも内側の部分に取付基板１４を接合したので、内側壁面４１に対する消臭容器２１の装着状態において、消臭容器２１による荷重がフック部１６に作用した場合に、図５において取付基板１４及びこの取付基板１４と対応する合成樹脂シート１２が内側壁面４１から離隔する方向に外力を受ける。しかし、前記取付基板１４と対応しない合成樹脂シート１２の外周縁は、内側壁面４１から離隔する方向への外力を受けることがないので、内側壁面４１から合成樹脂シート１２が剥離するのを防止することができる。このため内側壁面４１に対する係止具１１の取付状態を安定して保持することができる。
【００２９】
（５）上記実施形態では、粘着剤皮膜１３を合成樹脂シート１２の裏面に形成したので、除去作業が必要となった場合に、従来の両面テープを用いる構成と比較して、内側壁面４１に粘着剤皮膜１３を残さないで、合成樹脂シート１２を粘着剤皮膜１３とともに内側壁面４１から除去することができ、内側壁面４１の表面の清掃作業を容易に行うことができる。
【００３０】
なお、上記実施形態は以下のように変更してもよい。
○  図６に示すように、前記合成樹脂シート１２の表面に対して、四角ブロック状をなす係止部Ｋとしての係止具４５を溶融接合部１５によって接合すると共に、係止具４５の前面及び上面に各種の他部材を取り付けるボルトを螺合するためのネジ穴４５ａ，４５ｂを形成してもよい。
【００３１】
○  図７に示すように、円形状の合成樹脂シート１２の前面に、円形状の取付基板１４を溶融接合部１５によって接合し、取付基板１４の前面に一つのフック部１６を一体に形成してもよい。
【００３２】
○  図８に示すように、楕円形状の合成樹脂シート１２の前面に十字状の取付基板１４を溶融接合部１５によって接合し、取付基板１４にフック部１６を一体に形成してもよい。
【００３３】
○  合成樹脂シート１２に代えて、例えばアルミニウムシート、ステンレススチールシート等のガスバリア性のある金属シートを用いたり、ブチルゴムシート、エチレン・プロピレン系共重合ゴム（ＥＰゴム）シート等のガスバリア性のあるゴムシートを用いたりしてもよい。
【００３４】
○  前記粘着剤皮膜１３に代えて、接着力の強い接着剤皮膜を用いてもよい。
○  前記合成樹脂シート１２に対し取付基板１４又は係止具４５を加熱融着したり、瞬間接着剤により接着したりしてもよい。
【図面の簡単な説明】
【００３５】
【図１】この発明の係止具を示す側面図。
【図２】係止具の斜視図。
【図３】消臭容器の斜視図。
【図４】消臭容器の本体ケースの斜視図。
【図５】消臭容器を係止具によって便器の内側壁面に取り付けた状態を示す断面図。
【図６】この発明の別の係止具を示す斜視図。
【図７】この発明の別の係止具を示す斜視図。
【図８】この発明の別の係止具を示す斜視図。
【図９】従来の係止具を示す斜視図。
【符号の説明】
【００３６】
Ｋ…係止部、１２…合成樹脂シート、１３…粘着剤皮膜、１５…溶融接合部。
【図１】
2006149861.tif 000003
【図２】
2006149861.tif 000004
【図３】
2006149861.tif 000005
【図４】
2006149861.tif 000006
【図５】
2006149861.tif 000007
【図６】
2006149861.tif 000008
【図７】
2006149861.tif 000009
【図８】
2006149861.tif 000010
【図９】
2006149861.tif 000011